(57)【特許請求の範囲】
【請求項１】
複数の原稿画像をそれぞれ縮小し得られた複数の縮小画像を所定の位置にレイアウトする縮小レイアウトモードを設定するためのモード設定手段と、原稿給紙トレイに載置された原稿を自動的に原稿台に給送して該原稿台にセットし、当該原稿に対する走査が終了した後、当該原稿を前記原稿給紙トレイに戻す原稿給送手段と、前記原稿台にセットされた原稿を走査する原稿走査手段とを有する画像形成装置において、
前記モード設定手段により縮小レイアウトモードが設定された場合、前記原稿給送手段により給送される原稿に突起部が存在するか否かを検出するとともに、突起部の位置とサイズを検出する突起部検出手段と、
該突起部検出手段により突起部が検出された場合、検出された突起部の高さだけ前記原稿走査手段による原稿走査幅を広くして原稿を走査させる原稿走査制御手段と、
前記原稿走査手段による走査により得られた画像が突起部なし原稿である場合、前記原稿走査手段による走査により得られた画像を所定の倍率で縮小する縮小手段と、
該縮小手段により縮小された画像のレイアウトに応じてアドレスを指定するアドレス指定手段と、
前記突起検出手段により突起部が検出された場合、突起部の位置とサイズに基づき、突起部付き原稿の画像を突起部と該突起部を除く部分に分離する分離手段と、
該分離手段により分離された突起部を除く部分の画像データをストアし、前記縮小手段により縮小された画像の画像データを、アドレス指定手段により指定されたアドレスにストアする第１ストア手段と、
前記分離手段により分離された突起部の画像データをストアする第２ストア手段と、
前記第１ストア手段から画像データを読み出す第１読出手段と、
該第１読出手段により読み出された画像が突起部を除いた部分の画像である場合に、当該画像データと対になる突起部の画像データを前記第２ストア手段から読み出す第２読出手段と、
前記第１読出手段により読み出された画像が縮小画像である場合に、縮小画像を予め定めた数づつレイアウトして定型サイズの出力用紙に出力し、突起部を除いた部分の画像である場合に、予め定めた外形の出力用紙に、当該画像を出力するとともに、第２読出手段により読み出された突起部の画像を出力する出力手段と
を備えたことを特徴とする画像形成装置。
【請求項２】
請求項１において、前記予め定めた外形の出力用紙は、当該突起部付き原稿と同一外形であることを特徴とする画像形成装置。
【請求項３】
請求項１において、前記予め定めた外形の出力用紙は、当該突起部付き原稿の画像を突起部を欠損せずに出力することができるだけのサイズの用紙であることを特徴とする画像形成装置。
【請求項４】
請求項１において、前記突起部検出手段は前記原稿給紙トレイと前記原稿台との間の給紙パスに設けたことを特徴とする画像形成装置。
【請求項５】
請求項１において、前記突起部検出手段は反射型センサであることを特徴とする画像形成装置。
【請求項６】
請求項１において、原稿サイズと、原稿の並び方向と、出力用紙サイズと、原稿サイズと原稿の並び方向と出力用紙サイズとに基づき求めた縮小率とを対応させてストアした縮小率ストア手段と、原稿サイズと、原稿の並び方向と、出力用紙サイズとを設定するための設定手段とをさらに備え、前記縮小手段は、前記設定手段により設定された原稿サイズと、原稿の並び方向と、出力用紙サイズとに対応する前記縮小率ストア手段にストアされている縮小率で縮小することを特徴とする画像形成装置。
【請求項７】
原稿給紙トレイから給紙された原稿に突起部が存在するか否かを検出するステップと、
突起部が検出された場合に、当該原稿を走査し、原稿の画像データをストアするステップであって、突起部の位置とサイズを検出するステップと、原稿台にセットされた原稿に対して原稿走査幅を当該突起部の高さだけ広くして原稿を走査するステップと、突起部の位置とサイズに基づき、突起部付き原稿の画像を突起部と該突起部を除く部分に分離するステップと、分離された突起部の画像データと該突起部を除く部分の画像データをストアするステップとを有するステップと、
突起部が検出されない場合に、当該原稿を走査し、原稿の画像データをストアするステップであって、原稿台にセットされた原稿を走査するステップと、走査して得られた画像を所定の倍率で縮小するステップと、縮小された画像のレイアウトに応じてアドレスを指定し、縮小された画像データをストアするステップとを有するステップと、
ストアされた画像データを読み出し、画像を出力用紙に出力するステップであって、読み出された画像が縮小画像である場合に、縮小画像を定型サイズの出力用紙に出力するステップを有し、突起部を除いた部分の画像である場合に、当該画像と対をなす突起部の画像データを読み出すステップと、読み出された突起部を除く部分の画像と該画像と対をなす突起部の画像を所定の外形の同一の出力用紙に出力するステップとを有するステップと
を備えたことを特徴とする画像形成方法。
【請求項８】
１枚のシートの同一面上に複数の原稿の画像を形成するレイアウト処理を実行可能な画像形成装置であって、
１枚のシートの同一面上にレイアウト処理すべき対象となる複数の原稿のなかに、突起部付き原稿が存在しない場合に、前記１枚のシートの同一面上にてレイアウト対象となる前記複数の原稿の全ての原稿の画像を前記１枚のシートの同一面上に形成させるレイアウト処理を許可し、前記１枚のシートの同一面上にレイアウト処理すべき対象となる複数の原稿のなかに、突起部付き原稿が存在する場合、前記１枚のシートの同一面上にてレイアウト対象となる前記複数の原稿の全ての原稿の画像を前記１枚のシートの同一面上に形成させるレイアウト処理を禁止することを特徴とする画像形成装置。
【請求項９】
１枚のシートの同一面上に複数の原稿の画像を形成するレイアウト処理を実行可能な画像形成装置の制御方法であって、
１枚のシートの同一面上にレイアウト処理すべき対象となる複数の原稿のなかに、突起部付き原稿が存在しない場合に、前記１枚のシートの同一面上にてレイアウト対象となる前記複数の原稿の全ての原稿の画像を前記１枚のシートの同一面上に形成させるレイアウト処理を許可し、前記１枚のシートの同一面上にレイアウト処理すべき対象となる複数の原稿のなかに、突起部付き原稿が存在する場合、前記１枚のシートの同一面上にてレイアウト対象となる前記複数の原稿の全ての原稿の画像を前記１枚のシートの同一面上に形成させるレイアウト処理を禁止することを特徴とする画像形成装置の制御方法。
【請求項１０】
請求項９において、前記１枚のシートの同一面上にレイアウト処理すべき対象となる複数の原稿のなかに、突起部付き原稿が存在する場合、前記１枚のシートの同一面上にてレイアウト対象となる前記複数の原稿の全ての原稿の画像を前記１枚のシートの同一面上に形成させるレイアウト処理を禁止して、前記複数の原稿のうちの前記突起部付き原稿ではない原稿の画像同士のみを前記１枚のシートの同一面上に形成させるレイアウト処理を実行させることを特徴とする画像形成装置の制御方法。
【請求項１１】
請求項９において、前記１枚のシートの同一面上にレイアウト処理すべき対象となる複数の原稿のなかに、突起部付き原稿が存在する場合、前記１枚のシートの同一面上にてレイアウト対象となる前記複数の原稿の全ての原稿の画像を前記１枚のシートの同一面上に形成させるレイアウト処理を禁止して、前記複数の原稿のうちの前記突起部付き原稿ではない原稿の画像同士のみを前記１枚のシートの同一面上に形成させるレイアウト処理を実行させると共に、前記突起部付き原稿の画像のみを別のシートに形成させるよう制御することを特徴とする画像形成装置の制御方法。
【請求項１２】
請求項９において、前記１枚のシートの同一面上にレイアウト処理すべき対象となる複数の原稿のなかに、突起部付き原稿が存在する場合、前記１枚のシートの同一面上にてレイアウト対象となる前記複数の原稿の全ての原稿の画像を前記１枚のシートの同一面上に形成させるレイアウト処理を禁止して、前記複数の原稿のうちの前記突起部付き原稿ではない原稿の画像同士のみを前記１枚のシートの同一面上に形成させるレイアウト処理を実行させると共に、前記突起部付き原稿の画像のみを、前記突起部付き原稿ではない原稿の画像同士を形成させるシートとは異なる種類のシートに形成させるよう制御することを特徴とする画像形成装置の制御方法。
【請求項１３】
請求項１２において、前記突起部付き原稿ではない原稿の画像同士を形成させるシートとは異なる種類のシートとして突起部付きのシートを用いて前記突起部付きのシートの前記突起部に前記突起部付き原稿の画像を形成させるよう制御することを特徴とする画像形成装置の制御方法。
【請求項１４】
請求項９において、前記１枚のシートの同一面上にレイアウト処理すべき対象となる前記複数の原稿のなかに、前記突起部付き原稿が存在する場合、前記突起部付きの原稿の画像のシートに対する画像形成動作をスキップさせることを特徴とする画像形成装置の制御方法。
【発明の詳細な説明】
【０００１】
【発明の属する技術分野】
本発明は、自動給紙される原稿の画像を縮小レイアウトして形成する画像形成装置及び方法並びに画像形成装置の制御方法に関する。
【０００２】
【従来の技術】
従来から、応用モードの１つである縮小レイアウトモードを使用して複写することができる複写機等の画像形成装置が知られている。このような画像形成装置による縮小倍率は、指定サイズの出力用紙に合せて自動的に設定されるようになっており、例えば、「縮小レイアウトモード４ｉｎ１」で複写する場合、すなわち、例えば、４枚のＡ４原稿を縮小して、１枚のＡ４出力用紙の片面に複写する場合には、４枚のＡ４原稿がそれぞれ５０％オート変倍される。
【０００３】
【発明が解決しようとする課題】
しかし、図１１（ａ）に示すように、Ａ４の原稿束に、突起部のある原稿（タブ紙、仕切り紙等）を含む場合は、突起部を除いた部分（Ａ４サイズ）の画像が通常の定形原稿と同様にその原稿並び順に従って５０％縮小され、図１１（ｂ）に示すように、１枚の出力用紙に出力されるので、突起部の文字情報が失われ、その結果、その出力用紙は原稿束を区分するという機能が失われた。
【０００４】
また、突起部のある原稿を含む原稿の束を等倍で複写する場合も、突起部のある原稿は突起部を除いた部分の画像が通常の定形原稿と同様に出力されるので、突起部の画像が欠損し、しかも、突起部のある原稿は、通常、色が付いているので、突起部を除いた部分がトナー画像として出力され、トナーが無駄に消費された。
【０００５】
本発明の第１の目的は、突起部付き原稿を含む原稿の束を縮小レイアウトする場合に、突起部付き原稿を予め定めた外形の出力用紙に出力することができる画像形成装置及び方法並びに画像形成装置の制御方法を提供することにある。
【０００６】
本発明の第２の目的は、突起部付き原稿を含む原稿の束を等倍で複写する場合に、トナー消費を軽減することができる画像形成装置及び方法並びに画像形成装置の制御方法を提供することにある。
【０００７】
【課題を解決するための手段】
請求項１の発明は、複数の原稿画像をそれぞれ縮小し得られた複数の縮小画像を所定の位置にレイアウトする縮小レイアウトモードを設定するためのモード設定手段と、原稿給紙トレイに載置された原稿を自動的に原稿台に給送して該原稿台にセットし、当該原稿に対する走査が終了した後、当該原稿を前記原稿給紙トレイに戻す原稿給送手段と、前記原稿台にセットされた原稿を走査する原稿走査手段とを有する画像形成装置において、前記モード設定手段により縮小レイアウトモードが設定された場合、前記原稿給送手段により給送される原稿に突起部が存在するか否かを検出するとともに、突起部の位置とサイズを検出する突起部検出手段と、該突起部検出手段により突起部が検出された場合、検出された突起部の高さだけ前記原稿走査手段による原稿走査幅を広くして原稿を走査させる原稿走査制御手段と、前記原稿走査手段による走査により得られた画像が突起部なし原稿である場合、前記原稿走査手段による走査により得られた画像を所定の倍率で縮小する縮小手段と、該縮小手段により縮小された画像のレイアウトに応じてアドレスを指定するアドレス指定手段と、前記突起検出手段により突起部が検出された場合、突起部の位置とサイズに基づき、突起部付き原稿の画像を突起部と該突起部を除く部分に分離する分離手段と、該分離手段により分離された突起部を除く部分の画像データをストアし、前記縮小手段により縮小された画像の画像データを、アドレス指定手段により指定されたアドレスにストアする第１ストア手段と、前記分離手段により分離された突起部の画像データをストアする第２ストア手段と、前記第１ストア手段から画像データを読み出す第１読出手段と、該第１読出手段により読み出された画像が突起部を除いた部分の画像である場合に、当該画像データと対になる突起部の画像データを前記第２ストア手段から読み出す第２読出手段と、前記第１読出手段により読み出された画像が縮小画像である場合に、縮小画像を予め定めた数づつレイアウトして定型サイズの出力用紙に出力し、突起部を除いた部分の画像である場合に、予め定めた外形の出力用紙に、当該画像を出力するとともに、第２読出手段により読み出された突起部の画像を出力する出力手段とを備えている。
【０００８】
請求項１において、予め定めた外形の出力用紙は、当該突起部付き原稿と同一外形とすることができる。
請求項１において、予め定めた外形の出力用紙は、当該突起部付き原稿の画像を突起部を欠損せずに出力することができるだけのサイズの用紙とすることができる。
請求項１において、突起部検出手段は前記原稿給紙トレイと前記原稿台との間の給紙パスに設けることができる。
請求項１において、突起部検出手段は反射型センサとすることができる。
【０００９】
請求項１において、原稿サイズと、原稿の並び方向と、出力用紙サイズと、原稿サイズと原稿の並び方向と出力用紙サイズとに基づき求めた縮小率とを対応させてストアした縮小率ストア手段と、原稿サイズと、原稿の並び方向と、出力用紙サイズとを設定するための設定手段とをさらに備え、前記縮小手段は、前記設定手段により設定された原稿サイズと、原稿の並び方向と、出力用紙サイズとに対応する前記縮小率ストア手段にストアされている縮小率で縮小する。
【００１２】
請求項７の発明は、原稿給紙トレイから給紙された原稿に突起部が存在するか否かを検出し、突起部が検出された場合、突起部の位置とサイズを検出し、原稿台にセットされた原稿に対して原稿走査幅を当該突起部の高さだけ広くして原稿を走査し、突起部の位置とサイズに基づき、突起部付き原稿の画像を突起部と該突起部を除く部分に分離し、分離された突起部の画像データと該突起部を除く部分の画像データをストアし、他方、突起部が検出されない場合、原稿台にセットされた原稿を走査し、走査して得られた画像を所定の倍率で縮小し、縮小された画像のレイアウトに応じてアドレスを指定し、縮小された画像データをストアし、ついで、画像を読み出し、読み出された画像が縮小画像である場合、縮小画像を定型サイズの出力用紙に出力し、突起部を除いた部分の画像である場合、当該画像と対をなす突起部の画像データを読み出し、読み出された突起部を除く部分の画像と該画像と対をなす突起部の画像を所定の外形の同一の出力用紙に出力する。
【００１４】
請求項８の発明は、１枚のシートの同一面上に複数の原稿の画像を形成するレイアウト処理を実行可能な画像形成装置であって、
１枚のシートの同一面上にレイアウト処理すべき対象となる複数の原稿のなかに、突起部付き原稿が存在しない場合に、前記１枚のシートの同一面上にてレイアウト対象となる前記複数の原稿の全ての原稿の画像を前記１枚のシートの同一面上に形成させるレイアウト処理を許可し、前記１枚のシートの同一面上にレイアウト処理すべき対象となる複数の原稿のなかに、突起部付き原稿が存在する場合、前記１枚のシートの同一面上にてレイアウト対象となる前記複数の原稿の全ての原稿の画像を前記１枚のシートの同一面上に形成させるレイアウト処理を禁止することを特徴とする。
【００１５】
請求項９の発明は、１枚のシートの同一面上に複数の原稿の画像を形成するレイアウト処理を実行可能な画像形成装置の制御方法であって、
１枚のシートの同一面上にレイアウト処理すべき対象となる複数の原稿のなかに、突起部付き原稿が存在しない場合に、前記１枚のシートの同一面上にてレイアウト対象となる前記複数の原稿の全ての原稿の画像を前記１枚のシートの同一面上に形成させるレイアウト処理を許可し、前記１枚のシートの同一面上にレイアウト処理すべき対象となる複数の原稿のなかに、突起部付き原稿が存在する場合、前記１枚のシートの同一面上にてレイアウト対象となる前記複数の原稿の全ての原稿の画像を前記１枚のシートの同一面上に形成させるレイアウト処理を禁止することを特徴とする。
【００１６】
請求項９において、前記１枚のシートの同一面上にレイアウト処理すべき対象となる複数の原稿のなかに、突起部付き原稿が存在する場合、前記１枚のシートの同一面上にてレイアウト対象となる前記複数の原稿の全ての原稿の画像を前記１枚のシートの同一面上に形成させるレイアウト処理を禁止して、前記複数の原稿のうちの前記突起部付き原稿ではない原稿の画像同士のみを前記１枚のシートの同一面上に形成させるレイアウト処理を実行させることができる。
請求項９において、前記１枚のシートの同一面上にレイアウト処理すべき対象となる複数の原稿のなかに、突起部付き原稿が存在する場合、前記１枚のシートの同一面上にてレイアウト対象となる前記複数の原稿の全ての原稿の画像を前記１枚のシートの同一面上に形成させるレイアウト処理を禁止して、前記複数の原稿のうちの前記突起部付き原稿ではない原稿の画像同士のみを前記１枚のシートの同一面上に形成させるレイアウト処理を実行させると共に、前記突起部付き原稿の画像のみを別のシートに形成させるよう制御することができる。
【００１７】
請求項９において、前記１枚のシートの同一面上にレイアウト処理すべき対象となる複数の原稿のなかに、突起部付き原稿が存在する場合、前記１枚のシートの同一面上にてレイアウト対象となる前記複数の原稿の全ての原稿の画像を前記１枚のシートの同一面上に形成させるレイアウト処理を禁止して、前記複数の原稿のうちの前記突起部付き原稿ではない原稿の画像同士のみを前記１枚のシートの同一面上に形成させるレイアウト処理を実行させると共に、前記突起部付き原稿の画像のみを、前記突起部付き原稿ではない原稿の画像同士を形成させるシートとは異なる種類のシートに形成させるよう制御することができる。
請求項１２において、前記突起部付き原稿ではない原稿の画像同士を形成させるシートとは異なる種類のシートとして突起部付きのシートを用いて前記突起部付きのシートの前記突起部に前記突起部付き原稿の画像を形成させるよう制御することができる。
請求項９において、前記１枚のシートの同一面上にレイアウト処理すべき対象となる前記複数の原稿のなかに、前記突起部付き原稿が存在する場合、前記突起部付きの原稿の画像のシートに対する画像形成動作をスキップさせることができる。
【００１８】
【発明の実施の形態】
以下、本発明の実施の形態を図面を参照して詳細に説明する。
【００１９】
＜第１の実施の形態＞
図１は本発明の第１の実施の形態を示す。これは、突起部付き原稿を含む原稿の束を縮小レイアウトする画像複写装置の例である。図１において、１０１は原稿給送装置であり、載置された原稿を１枚ずつ、あるいは２枚連続して原稿台ガラス面１０２上の所定位置に給送するものである。１０４はスキャナであり、原稿台ガラス面１０２上の原稿をランプ１０３により走査し、原稿からの反射光（光信号）を走査ミラー１０５により折り曲げるものである。１０６，１０７は走査ミラーであり、走査ミラー１０５からの反射光をレンズ１０８に導くためのものである。１０９はイメージセンサ部であり、レンズ１０８を通過した光信号を図示しないＲＧＢ色分解フィルタにより色分解した後、電気信号に変換するものである。
【００２０】
１３０はコントローラ部であり、画像データに基づき、図示しないレーザを駆動制御し、変調されたレーザ光を出射するものである。１１０はレーザスキャナであり、コントローラ部１３０からのレーザ光を結像倒れ補正等を行う光学系１３１に向けて反射するものである。１３２は折り返しミラーであり、光学系１３１を通過したレーザ光を感光ドラム１１１上に導くためのものである。感光ドラム１１１は変調されたレーザ光により主走査されることになる。
【００２１】
１１４，１１５は被転写紙積載部であり、それぞれ、定形サイズの被転写紙を収納するためのものである。被転写紙積載部１１４，１１５から分離された被転写紙は、給送ローラ群によりレジストローラまで給送され、感光体１１１上に形成された画像との画像先端合わせタイミングで再給紙される。
【００２２】
１１２，１１３はそれぞれ現像器であり、感光体１１１上に形成された静電潜像を現像剤（２色のトナー）により可視化する（トナー像にする）ものである。１１６は転写分離帯電器であり、感光体１１１上のトナー像を、レジストローラにより再給紙された被転写紙に転写するものである。１３３は搬送ベルトであり、トナー像が転写された被転写紙を定着部１１７に搬送するものである。
【００２３】
１２１は方向フラッパーであり、定着部１１７により定着された後の被転写紙を搬送するための搬送路を、排紙ローラ１１８に通じる搬送路か、あるいは、内部搬送路１２２，１２３のいずれかに切り換えるためのものである。１２４は中間トレーであり、内部搬送路１２２，１２３を通過した被転写紙を多重／両像形成プロセスのために滞留させておくためのものである。
【００２４】
１１９は排紙センサであり、排紙ローラ１１８に通じる搬送路に被転写紙が搬送されたか否かを検知するためのものである。１１８は排紙ローラであり、排紙センサ１１９を通過した被転写紙をトレー１２０上に排出するためのものである。
【００２５】
図２は図１のコントローラ部１３０の構成を示す。図２において、２０１は原稿自動給送装置制御部であり、原稿自動給送装置１０１（図１）を駆動制御して、載置されている原稿を１枚づつ、あるいは２枚連続して原稿台ガラス面１０２（図１）に給送するものである。２０２はイメージリーダ制御部であり、イメージセンサ部１０９（図１）からの電気信号の読み出しを制御するものである。２０３は画像信号制御部であり、イメージリーダ制御部２０２からのＰＡＭ（ｐｕｌｓｅ  ａｍｐｌｉｔｕｄｅ  ｍｏｄｕｌａｔｉｏｎ）画像信号をビデオ信号に変換するものである。２０４はプリンタ制御部であり、画像信号制御部２０３からのビデオ信号に基づいてレーザスキャナ１１０（図１）を駆動制御するものである。２０８は操作部であり、「縮小レイアウトモード」を含む画像形成に必要なモードの設定等を行うためのものである。２０９は表示部であり、装置の状態を表示するためのものである。２０５はＣＰＵ（ｃｅｔｒａｌ  ｐｒｏｃｅｓｓｉｎｇ  ｕｎｉｔ）であり、ＲＯＭ（ｒｅａｄ  ｏｎｌｙ  ｍｅｍｏｒｙ）２０６およびＲＡＭ（ｒａｎｄｏｍ  ａｃｃｅｓｓ  ｍｅｍｏｒｙ）２０７を内蔵しており、ＲＯＭ２０６にストアされている制御プログラムに従って図２に示す各部を制御するものである。ＲＡＭ２０７は作業領域として用いられている。
【００２６】
次に、装置の動作を説明する。コントローラ部１３０のイメージリーダ制御部２０２によりイメージセンサ１０９から画像信号を順次読み出し、読み出された画像信号は画像信号制御部２０３により所定の処理が行われビデオ信号が生成される。画像信号制御部２０３からのビデオ信号に基づき、プリンタ制御部２０４は、図示しないレーザを駆動制御して変調されたレーザ光をレーザキャナ１１０に向けて出射する。出射されたレーザ光はレーザキャナ１１０により結像倒れ補正等を行う光学系１３１に向けて反射され、光学系１３１を通過したレーザ光は折り返しミラー１３２により感光ドラム１１１に向けて折り返される。その結果、感光ドラム１１１は変調されたレーザ光により主走査され、この主走査により感光体１１１上に潜像が作られる。
【００２７】
この潜像は現像器１１２（または、現像器１１３）により現像され、トナー像が形成される。そして、現像タイミングを合わせて被転写紙積載部１１４（または、被転写紙積載部１１５）から被転写抵が転写部１１６に搬送され、転写部１１６により、感光体１１１上のトナー像が被転写紙に転写される。トナー像が転写された被転写紙は搬送ベルト１３３により定着部１１７に搬送され、定着部１１７によりトナー像が定着され、その後、排紙ローラ１１８によりトレー１２０上に排出される。
【００２８】
両面画像形成の場合は、第１面の画像形成が行われた被転写紙が排紙センサ１１９を通過すると、排紙ローラ１１８が逆転され、同時に、フラッパ１２１が上方に上げられ、当該被転写紙が内部搬送路１２２、１２３を通って中間トレー１２４に搬送され中間トレー１２４に滞留される。そして、次に行なわれる第２面に対する画像形成時に、中間トレー１２４に滞留されている被転写紙が給紙され、その後、現像、転写、定着が上述したようにして第２面に対して行われ、定着後、排紙ローラ１１８によりトレー１２０上に排出される。
【００２９】
また、多重画像形成の場合は、フラッパ１２１を上方に上げて、転写済みの被転写紙を内部搬送路１２２、１２３を通って中間トレー１２４に搬送し中間トレー１２４に滞留させる。そして、次の画像形成時に、現像タイミングに合せて、中間トレー１２４上の被転写紙が転写部１１６に給送され、感光ドラム１１１上のトナー像が当該被転写紙の同一面に転写される。多重画像形成が終了すると、転写後、被転写紙上のトナー像が定着部１１７により定着され、その後、排紙ローラ１１８によりトレー１２０上に排出される。
【００３０】
図３は図２の画像信号制御部２０３の構成を示す。図３において、３０１はＡ／Ｄ変換部であり、イメージリーダ制御部２０２からのＲＧＢ電気信号（アナログ画像信号）をそれぞれ８ビット・デジタル信号に変換するものである。３０２は黒補正／白補正部であり、シェーディング補正を行うものである。３０３はＮＤ信号生成部であり、入力信号Ｒｉｎ，Ｇｉｎ，Ｂｉｎから輝度信号Ｄｏｕｔ  （＝（Ｒｉｎ＋Ｇｉｎ＋Ｂｉｎ）／３）を生成するものである。３０４はメモリコントローラであり、操作部２０８から縮小レイアウトモードが設定された場合で、しかも、図４に示す反射型センサ４０２〜４０６により突起部が検出された場合、得られた画像を、突起部の位置とサイズ情報に基き、突起部の画像と、突起部を除く部分の画像とに分離し、突起部の画像データを変倍部３０５をスルーさせてタブメモリにストアし、突起部を除く部分の画像データをメモリ３０６にストアし、他方、反射型センサ４０２〜４０６により突起部が検出されない場合、得られた画像を変倍部３０５により縮小した後、メモリ３０６のアドレスを指定して、メモリ３０６に縮小画像データをストアするものである。メモリコントローラ３０４はメモリ３０６およびタブメモリ３０７から画像データを読み出し、画像処理部３０８に出力するものである。３０５は変倍部であり、メモリコントローラ３０４からの画像か、あるいは、メモリ３０６からの画像を変倍処理（拡大／縮小）するものである。３０８は画像処理部であり、メモリコントローラ３０４からの画像の中間調処理等を行うものである。３０９は濃度補正部であり、輝度−濃度変換を行い、プリンタでの濃度補正を行い、レーザプリンタのプリンタ制御部２０４に供給するものである。
【００３１】
図４は原稿を検出するための反射型センサ４０２〜４０６を示す。突起部検出基盤４０１は原稿自動給送装置１０１の近傍の給紙パスに画定して取り付けてあり、突起部検出基盤４０１には、反射型センサ４０２〜４０６が均等な間隔で搭載してある。突起部付き原稿４０７は突起部検出基盤４０１上を、図４に示す矢印方向に通過するようになっている。反射型センサ４０２〜４０６により、原稿が検知された場合は、「１」が出力され、そうでない場合は、「０」が出力される。反射型センサ４０２〜４０６からの出力信号は排他的論理和ゲート５０７に入力され、排他的論理和演算され、演算結果が出力される。すなわち、突起部付き原稿が検出されたときは、排他的論理和ゲート５０７から、突起部が検出されたことを表す信号が出力される。突起部付き原稿が反射型センサ４０２〜４０６上を通過したときの信号波形の一例を図５に示す。図５の信号６０１〜６０５はそれぞれ反射型センサ４０２〜４０６からの信号である。
【００３２】
排他的論理和ゲート５０７の出力はＣＰＵバス２１０を介して、ＣＰＵ２０５に供給され、ＣＰＵ２０５から、ＧＰＵバス２１１〜２１３を介して、それぞれ、イメージリーダ制御部２０２と、画像信号制御部２０３と、プリンタ制御部２０４に供給される。
【００３３】
図７を説明する。図７に示すメニュー画面は複数枚の原稿を１枚の用紙に縮小コピーする場合に表示される。「Ａ４」は出力用紙がＡ４サイズであることを表す。メニュー項目「２ｉｎ１」は２枚の原稿を縮小して、１枚の用紙の片面にコピーするためのものである。メニュー項目「４ｉｎ１」は４枚の原稿を縮小して、１枚の用紙の片面にコピーするためのものである。メニュー項目「８ｉｎ１」は８枚の原稿を縮小して、１枚の用紙の片面にコピーするためのものである。メニュー項目「９ｉｎ１」は９枚の原稿を縮小して、１枚の用紙の片面にコピーするためのものである。「ＯＫ」は選択されたメニュー項目を確定するためのものである。
【００３４】
図６は突起部付き原稿を含む原稿束に対する４ｉｎ１縮小レイアウト処理手順の一例を示すフローチャートである。図２の表示部２０９には、図７に示すようなウィンドウが表示されており、原稿束を何枚一組でレイアウトするかをユーザが選択可能状態になっているものとする。この状態で、突起部付き原稿が混在した原稿束を４枚一組で１枚の出力用紙にレイアウトするため、メニュー項目「４ｉｎ１」が選択されると、ループ変数ｉを初期化する（Ｓ６０１）。ついで、イメージリーダ制御部２０２により原稿画像を読み取り（Ｓ６０２）、反射型センサ４０２〜４０６の検出結果に基づき、原稿が突起部付き原稿か否かを判定する（Ｓ６０３）。
【００３５】
突起部付き原稿である場合は、ループ変数ｉが０か否かを判定する（Ｓ６１０）。判定した結果、ループ変数ｉが０でない場合は、メモリ３０６にレイアウトされた画像が格納されているので、レイアウトされた画像をメモリ３０６から読み出し（Ｓ６１１）、その後、突起部付き原稿の画像を、メモリコントローラ３０４により、メモリ３０６およびタブメモリ３０７に書き込み（Ｓ６１２）、ついで、読み出す（Ｓ６１３）。他方、ステップＳ６１０にて判定した結果、ループ変数ｉが０である場合は、ステップＳ６１２に移行する。
【００３６】
ついで、読み取る原稿が原稿自動給送装置１０１に残っているか否かを判定し（Ｓ６１４）、肯定判定された場合は、ステップＳ６０２に移行し、否定判定された場合は、この処理を終了する。
【００３７】
他方、ステップＳ６０３にて判定した結果、原稿に突起部がない場合は、変倍部３０５により原稿画像の縮小処理を行い（Ｓ６０４）、縮小画像をメモリコントローラ３０４によりメモリ３０６の指定アドレスに書き込む（Ｓ６０５）。ついで、ループ変数ｉが３未満か否かを判定する（Ｓ６０６）。判定した結果、ループ変数ｉが３未満である場合は、ｉをインクリメントし（Ｓ６０７）、その後、ステップＳ６１４に移行し、他方、ループ変数ｉが３以上である場合は、レイアウト画像をメモリ３０６から読み出し（Ｓ６０８）、ループ変数ｉをクリアし（Ｓ６０９）、その後、ステップＳ６１４に移行する。
【００３８】
図８（ａ）に示す２枚の突起部付き原稿を含む計９枚の原稿束に対して、４ｉｎ１の処理を行った場合、出力結果は図８（ｂ）に示すようになる。すなわち、最初の原稿は突起部付き原稿８０１であるので、縮小レイアウト処理が行われず、原稿８０１が突起付きの出力用紙９０１に出力される。次の原稿８００〜８０４は通常の原稿であるので縮小レイアウト処理され、５０％縮小され、レイアウトされる。その後、原稿８０２〜８０４が出力用紙９１０に出力される。次の原稿８０５は突起部付き原稿であるので、縮小レイアウト処理がキャンセルされ、突起部付きの出力用紙９０５に出力される。次の原稿８０６〜８０９は通常の定形原稿であるので、縮小レイアウト処理され、５０％縮小され、レイアウトされる。その後、原稿８０６〜８０９が出力用紙９１１に出力される。
【００３９】
＜第２の実施の形態＞
本実施の形態は、突起部のある原稿を含む原稿の束を等倍で複写する例であり、図９は突起部付き原稿を含む原稿束を複写する場合の処理手順の一例を示すフローチャートである。図示しない原稿検知センサにより原稿が検知されない場合は（Ｓ９０１）、この処理を終了する。他方、原稿が検知された場合は、原稿を給送し（Ｓ９０２）、突起部検知基盤４０１により突起部の有無を検出し（Ｓ９０３）、突起部が検出された場合は、画像形成動作をスキップしてステップＳ９０１に移行する。他方、突起部が検出されない場合は、通常の複写動作を行い（Ｓ９０４）、その後、ステップＳ９０１に移行する。
【００４０】
すなわち、図１０に示す定型サイズの原稿８０１の４枚については、通常の複写動作が行なわれ、突起部付き原稿８０２については、複写動作がスキップされ、原稿８０３の３枚については通常の複写動作が行われることになる。よって、突起部付き原稿に対してトナー画像が形成されず、トナーの消費を軽減することができる。
【００４１】
【発明の効果】
以上説明したように、本発明によれば、原稿台に自動給紙された突起部付き原稿を含む原稿の束を縮小レイアウトする場合に、突起部付き原稿は予め定めた外形の出力用紙に出力するので、突起部を除く部分の画像とともに突起部の画像も形成することができる。
【００４２】
また、本発明によれば、突起部のある原稿の画像を形成しないようにしたので、無駄な複写用紙およびトナーの消費を抑えることができる。
【図面の簡単な説明】
【図１】本発明の第１の実施の形態の画像形成装置の構造を示す断面図である。
【図２】図１に示すコントローラ部１３０の構成を示すブロック図である。
【図３】図２に示す画像信号制御部２０３の構成を示すブロック図である。
【図４】突起部付き原稿の検出方法を説明するための説明図である。
【図５】図４に示す反射型センサ４０２〜４０６の出力信号波形の一例を示す波形図である。
【図６】突起部付き原稿を含む原稿束に対する４ｉｎ１縮小レイアウト処理手順の一例を示すフローチャートである。
【図７】図２の表示部２０９に表示されるウィンドウの一例を示す図である。
【図８】原稿束の例と出力結果を示す図である。
【図９】第２の実施の形態において突起部付き原稿を含む原稿束を複写する場合の処理手順の一例を示すフローチャートである。
【図１０】第２の実施の形態における処理を説明するための説明図である。
【図１１】従来例における原稿束の例と出力結果を示す図である。
【符号の説明】
１０１  原稿給送装置
１０２  原稿台ガラス面
１０３  ランプ
１０４  スキャナ
１０５，１０６，１０７  走査ミラー
１０８  レンズ
１０９  イメージセンサ部
１１０  レーザスキャナ
１１１  感光ドラム
１１２，１１３  現像器
１１４，１１５  被転写紙積載部
１１６  転写分離帯電器
１１７  定着部
１１８  排紙ローラ
１１９  排紙センサ
１２０  トレー
１２１  方向フラッパー
１２２，１２３  内部搬送路
１２４  中間トレー
１３０  コントローラ部
１３１  光学系
１３２  折り返しミラー
１３３  搬送ベルト
【図１】
0003563908.tif 000002
【図２】
0003563908.tif 000003
【図３】
0003563908.tif 000004
【図４】
0003563908.tif 000005
【図５】
0003563908.tif 000006
【図６】
0003563908.tif 000007
【図７】
0003563908.tif 000008
【図８】
0003563908.tif 000009
【図９】
0003563908.tif 000010
【図１０】
0003563908.tif 000011
【図１１】
0003563908.tif 000012